【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
インベストメント鋳型スラリの被覆装置であって、
スラリ流体の流れを受容するように構成された導管と、
前記導管に動作可能に結合された複数の出口部と、
を備え、
前記複数の出口部は、前記スラリ流体の流れを、スラリカーテンとして投与するように構成されており、
前記複数の出口部の少なくとも１つは、出口形状を有しており、
前記出口形状は、前記複数の出口部によって生成されるスラリカーテンの形状が調整可能であるように、調整可能である
ことを特徴とする装置。
【請求項２】
前記複数の出口部の少なくとも１つは、重力スラリカーテンとして前記スラリカーテン
を投与するように構成されている
ことを特徴とする請求項１に記載の装置。
【請求項３】
前記複数の出口部の少なくとも１つは、圧縮スラリカーテンとして前記スラリカーテン
を投与するように構成されている
ことを特徴とする請求項１に記載の装置。
【請求項４】
前記導管は、複数の導管を有しており、
前記複数の出口部は、前記複数の導管に対応しており、前記スラリ流体の対応する複数
の流れを受容して当該スラリ流体の流れを対応する複数のスラリカーテンとして投与する
ように構成されている
ことを特徴とする請求項１に記載の装置。
【請求項５】
前記複数の出口部の少なくとも１つは、長さと幅とを有する細長開口を有しており、
前記長さは、前記幅よりも大きく、前記複数の出口部を通る前記スラリ流体の流れが前
記スラリカーテンを提供する
ことを特徴とする請求項１に記載の装置。
【請求項６】
前記複数の出口部の少なくとも１つは、出口開口を有しており、
前記導管は、可動であり、
前記出口開口を通る前記スラリ流体の流れと前記導管の移動とが前記スラリカーテンを
提供する
ことを特徴とする請求項１に記載の装置。
【請求項７】
前記複数の出口部は、複数のオリフィスを有している
ことを特徴とする請求項１に記載の装置。
【請求項８】
前記複数のオリフィスは、前記スラリカーテンを規定するパターンで配置されている
ことを特徴とする請求項７に記載の装置。
【請求項９】
前記幅は、前記長さに沿って可変である
ことを特徴とする請求項５に記載の装置。
【請求項１０】
前記複数の出口部は、摩耗抵抗材料を有している
ことを特徴とする請求項１に記載の装置。
【請求項１１】
前記複数の出口部は、可動である
ことを特徴とする請求項１に記載の装置。
【請求項１２】
前記複数の出口部及び前記スラリカーテンは、３つの相互に直交する軸の少なくとも１つの軸について、当該少なくとも１つの軸に沿って平行移動するか、あるいは当該少なくとも１つの軸回りに回転するか、あるいはそれらの組み合わせか、によって移動可能である
ことを特徴とする請求項１１に記載の装置。
【請求項１３】
前記複数の出口部は、インベストメント鋳型アセンブリコンベヤに動作可能に結合されている
ことを特徴とする請求項１に記載の装置。
【請求項１４】
前記インベストメント鋳型アセンブリコンベヤは、インベストメント鋳型アセンブリを、前記スラリカーテンの下方で、所定の方向に回転可能に搬送するように構成されている
ことを特徴とする請求項１３に記載の装置。
【請求項１５】
前記所定の方向は、前記スラリカーテンによって規定される平面に対して実質的に直交している
ことを特徴とする請求項１４に記載の装置。
【請求項１６】
インベストメント鋳型アセンブリが、型軸線に沿って回転可能に配置されており、
前記型軸線は、実質的な水平方向に配置されている
ことを特徴とする請求項１に記載の装置。
【請求項１７】
前記スラリ流体は液体と複数の耐火粒子とを含んでおり、
前記スラリ流体は、インベストメント鋳型に被覆層を提供するように構成されている
ことを特徴とする請求項１に記載の装置。
【手続補正２】
【補正対象書類名】明細書
【補正対象項目名】０１２５
【補正方法】変更
【補正の内容】
【０１２５】
本発明は、制限された数の実施形態のみに関して詳細に説明されたが、本発明がそのように開示された実施形態に制限されないことは容易に理解される。むしろ、本発明は、前述されていない任意の数の変化、変更、代用、あるいは均等物の構成を包含するように、修正され得る。それらは、本発明の精神および範囲に相当する。さらに、本発明の様々な実施形態が説明されたが、本発明の特徴は、開示された実施形態のうちのいくつかのみを含んでいてもよい。従って、本発明は、先の説明によって制限されるものと理解されるべきではなく、添付の特許請求の範囲によってのみ制限される。
なお、出願時の請求項は、以下の通りである。
（請求項１）
インベストメント鋳型スラリのカーテン装置であって、
スラリ流体のスラリカーテンと、
出口部と
を備え、
前記スラリカーテンは、長さと厚さとを有しており、
前記長さは、前記厚さよりも実質的に大きく、
前記出口部は、前記スラリ流体を投与して前記スラリカーテンを形成するように構成されている
ことを特徴とする装置。
（請求項２）
前記スラリカーテンは、平坦面を有している
ことを特徴とする請求項１に記載の装置。
（請求項３）
前記スラリカーテンは、曲面を有している
ことを特徴とする請求項１に記載の装置。
（請求項４）
前記長さは、前記厚さの約５倍から約１０００倍である
ことを特徴とする請求項１に記載の装置。
（請求項５）
前記長さは、前記厚さの約２０倍から約５００倍である
ことを特徴とする請求項１に記載の装置。
（請求項６）
前記スラリカーテンは、複数のスラリカーテンを含んでいる
ことを特徴とする請求項１に記載の装置。
（請求項７）
前記スラリカーテンの前記厚さは、一定である
ことを特徴とする請求項１に記載の装置。
（請求項８）
前記スラリカーテンの前記厚さは、前記長さに沿って変化する
ことを特徴とする請求項１に記載の装置。
（請求項９）
前記出口部は、調整可能な出口形状を有している
ことを特徴とする請求項１に記載の装置。
（請求項１０）
前記出口形状は、前記スラリカーテンが投与されている間、調整可能である
ことを特徴とする請求項９に記載の装置。
（請求項１１）
インベストメント鋳型スラリの被覆装置であって、
スラリ流体の流れを受容するように構成された導管と、
前記導管に動作可能に結合された出口部と、
を備え、
前記出口部は、前記スラリ流体の流れを、スラリのカーテンとして投与するように構成されている
ことを特徴とする装置。
（請求項１２）
前記出口部は、重力スラリカーテンとして前記スラリカーテンを投与するように構成されている
ことを特徴とする請求項１１に記載の装置。
（請求項１３）
前記出口部は、圧縮スラリカーテンとして前記スラリカーテンを投与するように構成されている
ことを特徴とする請求項１１に記載の装置。
（請求項１４）
前記導管は、複数の導管を有しており、
前記出口部は、前記複数の導管に対応する複数の出口部を有しており、前記スラリ流体の対応する複数の流れを受容して当該スラリ流体の流れを対応する複数のスラリのカーテンとして投与するように構成されている
ことを特徴とする請求項１１に記載の装置。
（請求項１５）
前記出口部は、長さと幅とを有する細長開口を有しており、
前記長さは、前記幅よりも実質的に大きく、前記出口部を通る前記スラリ流体の流れが前記スラリカーテンを提供する
ことを特徴とする請求項１１に記載の装置。
（請求項１６）
前記出口部は、出口開口を有しており、
前記導管は、可動であり、
前記出口開口を通る前記スラリ流体の流れと前記導管の移動とが前記スラリカーテンを提供する
ことを特徴とする請求項１１に記載の装置。
（請求項１７）
インベストメント鋳型スラリの被覆マニホルド装置であって、
スラリ流体の流れを受容するように構成されたスラリチャンバを有するスラリマニホルドと、
前記スラリマニホルド上に配置された入口導管と、
出口部と、
を備え、
前記入口導管は、前記スラリチャンバ内に開口する入口部を有しており、前記スラリ流体の流れを前記スラリチャンバ内へ提供するように構成されており、
前記出口部は、スラリのカーテンを投与するように構成されている
ことを特徴とする装置。
（請求項１８）
インベストメント鋳型製造装置であって、
コンベヤと、
スラリ被覆ステーションと、
化粧被覆ステーションと、
乾燥ステーションと、
を備え、
前記コンベヤは、複数ステーション間でインベストメント鋳型パターンアセンブリを搬送するように構成されており、
前記鋳型パターンアセンブリは、長手方向軸と、軸方向に延びる中心スプルーと、当該中心スプルーから少なくとも１つのパターンまで径方向外側に延びる少なくとも１つのゲートと、を有しており、
前記鋳型パターンアセンブリは、一時的な（除去可能な）材料を有しており、
前記軸方向に延びる中心スプルーは、マンドレル上に配置されており、
前記マンドレルと前記鋳型パターンアセンブリは、回転可能に、前記コンベヤ上で略水平に配置されており、
前記スラリ被覆ステーションは、水溶性スラリを有するスラリカーテンを含んでおり、  前記コンベヤは、湿ったスラリ被覆層を提供するべく、前記スラリカーテンの下方に前記鋳型パターンアセンブリを位置決めして回転するように構成されており、
前記化粧被覆ステーションは、耐火材料を有する複数の分散された乾燥化粧粒子を含んでおり、
前記コンベヤは、前記湿ったスラリ被覆層上に乾燥した化粧粒子層を配置するべく、前記分散乾燥化粧粒子内に前記鋳型パターンアセンブリを位置決めして回転するように構成されており、
前記コンベヤは、前記スラリ被覆ステーションまたは前記化粧被覆ステーションから前記乾燥ステーションまで前記鋳型パターンアセンブリを搬送して、当該乾燥ステーション内で当該鋳型パターンアセンブリを位置決めして回転するように構成されており、
前記乾燥ステーションは、前記スラリ被覆層を乾燥して乾燥スラリ被覆層を提供するように構成されている
ことを特徴とする装置。
（請求項１９）
耐火シェル型の製造方法であって、
長手方向軸と、軸方向に延びる中心スプルーと、当該中心スプルーから少なくとも１つのパターンまで径方向外側に延びる少なくとも１つのゲートと、を有するインベストメント鋳型パターンアセンブリであって、前記インベストメント鋳型パターンアセンブリは除去可能な材料を有しており、前記軸方向に延びる中心スプルーは軸方向に延びる回転可能なマンドレル上に配置されており、前記回転可能なマンドレルと前記中心スプルーとは略水平に配置されている、というインベストメント鋳型パターンアセンブリを提供する工程と、
前記マンドレルと前記インベストメント鋳型パターンアセンブリとを、液体、バインダ、及び、第１耐火粒子、を含む第１スラリの第１スラリカーテンの下方で回転させて、当該インベストメント鋳型パターンアセンブリの外面上に第１耐火粒子の湿った被覆層を提供して、湿ったスラリ被覆のインベストメント鋳型パターンアセンブリを提供する工程と、
前記湿ったスラリ被覆のインベストメント鋳型パターンアセンブリを前記スラリカーテンから取り出す工程と、
を備えたことを特徴とする方法。
（請求項２０）
耐火シェル型の製造方法であって、
（ａ）長手方向軸と、軸方向に延びる中心スプルーと、当該中心スプルーから少なくとも１つのパターンまで径方向外側に延びる少なくとも１つのゲートと、を有するインベストメント鋳型パターンアセンブリであって、前記インベストメント鋳型パターンアセンブリは除去可能な材料を有しており、前記軸方向に延びる中心スプルーは軸方向に延びる回転可能なマンドレル上に配置されており、前記回転可能なマンドレルと前記中心スプルーとは略水平に配置されている、というインベストメント鋳型パターンアセンブリを提供する工程と、
（ｂ）前記マンドレルと前記インベストメント鋳型パターンアセンブリとを、液体、バインダ、及び、耐火粒子、を含むスラリのスラリカーテンの下方で回転させて、当該インベストメント鋳型パターンアセンブリの外面上に耐火粒子の湿った被覆層を提供して、湿ったスラリ被覆のインベストメント鋳型パターンアセンブリを提供する工程と、
（ｃ）前記耐火粒子の湿った被覆層に、選択的に乾燥耐火化粧粒子の層を適用して、湿った化粧被覆インベストメント鋳型パターンアセンブリを提供する工程と、
（ｄ）前記湿った化粧被覆インベストメント鋳型パターンアセンブリを乾燥して前記液体を除去して、耐火化粧粒子と耐火粒子を有する乾燥層を含む乾燥化粧被覆インベストメント鋳型パターンアセンブリを提供する工程と、
（ｅ）工程（ｂ）乃至工程（ｄ）を複数回繰り返して、耐火化粧粒子と耐火粒子を有する複数の乾燥層を含む耐火シェル型を提供する工程と、
を備えたことを特徴とする方法。